(57)【要約】      （修正有）【課題】家庭で簡単に背骨、腰および膝の関節を含む下半身をストレッチすることができるストレッチャーを提供する。【解決手段】使用者が横たわった使用状態において、使用者の上半身が牽引方向に移動するのを阻止する上半身移動阻止部材４０を設ける。また、使用者の下半身と該下半身が載置される載置面との間に、摩擦力を低減する摩擦力低減部材５０を設ける。更に、前記摩擦力低減部材５０上に前記下半身の少なくとも一部が載置され、前記上半身が前記上半身移動阻止部材４０により保持された状態で、前記下半身に牽引力を付与する牽引力付与機構６０を設ける。【選択図】図１
0003180637.tif 000002
【実用新案登録請求の範囲】
【請求項１】
ベッドの横に並接状態に配置し、または該ベッド上に配置あるいは該ベッドに設置した状態で、前記ベッド上に水平状態に横たわった利用者の下半身を牽引するストレッチャーであって、
ストレッチ時に前記利用者の上半身が牽引方向に移動するのを阻止する上半身移動阻止部材と、
前記利用者の下半身と該下半身が接触する下半身接触面との間の摩擦力を低減する摩擦力低減部材と、
前記摩擦力低減部材上に前記下半身の少なくとも一部が載置され、前記上半身が前記上半身移動阻止部材により保持された状態で、前記下半身に牽引力を付与する牽引力付与機構とを備えていることを特徴とするストレッチャー。
【請求項２】
前記牽引力付与機構は、前記利用者の下半身の大腿部の仰角（θ1）を５度以上に維持した状態で前記牽引力を付与するように構成されていることを特徴とする、請求項１に記載のストレッチャー。
【請求項３】
前記牽引力付与機構は、前記利用者の下半身の大腿部の仰角（θ1）を８乃至１５度の範囲に維持した状態で前記牽引力を付与するように構成されていることを特徴とする、請求項１に記載のストレッチャー。
【請求項４】
前記牽引力付与機構は、前記利用者の大腿部および下腿部を真っ直ぐに伸ばした状態において前記下半身接触面からの踵までの高さ（Ｈ１）を１０ｃｍ以上に維持した状態で下腿部に前記牽引力を付与するように構成されている、請求項１に記載のストレッチャー。
【請求項５】
前記下半身接触面からの踵までの高さを２０ないし３０ｃｍに維持することを特徴とする、請求項４に記載のストレッチャー。
【請求項６】
前記牽引力付与機構は、前記利用者の足首に着脱自在に掛け止め可能なアンクルストラップと、該ストラップに一端部が固定されたワイヤーと、該ワイヤーをワイヤー挿通孔を介して案内するワイヤーガイド部材と、前記ワイヤーの他端部が固定された牽引力発生部材とを備え、
前記ワイヤー挿通孔は、前記下半身接触面より２５ｃｍ以上またはそれより上方の位置に形成されていることを特徴とする、請求項１に記載のストレッチャー。
【請求項７】
前記ワイヤー挿通孔は、前記ワイヤーが前記ストレッチャー使用時における前記ワイヤーの俯角(θ2)よりも小さな俯角であるときにおける前記ワイヤー挿通孔と前記ワイヤーとの摩擦力が、前記ストレッチャー使用時における該ワイヤー挿通孔とワイヤーとの摩擦力よりも大きくなるように設定されている、請求項６に記載のストレッチャー。
【請求項８】
前記ストレッチャーは、更に、平面視矩形状の床部材を備え、
前記摩擦力低減部材は、前記床部材の上面に該床部材の長さ方向に移動自在に配置されたスライドプレートを含み、
前記牽引力付与機構は、
前記床部材の長さ方向の一端部に上下位置変更自在に取り付けられたワイヤーガイド部と、
前記利用者の下腿部に着脱自在に取り付け可能な下腿部保持部材と、
該下腿部保持部材に一端部が固定され、前記ワイヤーガイド部内に挿通されたワイヤーと、
該ワイヤーの他端部に固定されて前記ワイヤーに牽引力を付与する牽引力発生部材と
を備えている、請求項１に記載のストレッチャー。
【請求項９】
前記摩擦力低減部材は、平板状のプレートと、その下面に配置された複数個のローラとを含むものである、請求項１に記載のストレッチャー。
【請求項１０】
前記牽引力付与機構は、ゴム紐またはバネで構成された弾性部材を含むものである、請求項１に記載のストレッチャー。
【請求項１１】
前記弾性部材は、複数本のゴム紐またはバネで構成され、前記ゴム紐またはバネの本数を変更することにより前記牽引力を調整することができるようになされている、請求項１に記載のストレッチャー。
【請求項１２】
前記牽引力付与機構は、前記ワイヤーの他端部に固定された少なくとも１つのウエイトと、該ワイヤーに着脱自在に取り付けられた１または複数個のウエイトを含む、請求項１に記載のストレッチャー。
【請求項１３】
前記ワイヤーは、前記ワイヤーガイド部の外側において固定され、該ワイヤーの前記ワイヤーガイド部内への引き込みを規制するストッパー部材が備えられている、請求項８に記載のストレッチャー。
【請求項１４】
前記床部材は、その左右両側に長さ方向に沿ったグリップ部材が設けられている、請求項８に記載のストレッチャー。
【請求項１５】
前記床板部材は、その長さ方向の中間部において折りたたみ自在となされている、請求項８に記載のストレッチャー。
【請求項１６】
前記床部材は、前記ベットの長さとほぼ同じ長さを有する、請求項７に記載のストレッチャー。
【請求項１７】
前記ストレッチャーは、前記ベッドに一体的に設けられたものであり、
前記牽引力付与機構は、
前記ベッドの長さ方向の一端部に高さ位置調整自在に取り付けられたワイヤーガイド部と、
前記利用者の下腿部に着脱自在に取り付け可能な下腿部保持部と、
該下腿部保持部に一端部が固定され、前記ワイヤーガイド部に挿通されたワイヤーと、
前記ワイヤーの他端部が固定され、前記ワイヤーに張力を付与する張力発生部材と
を備えている、請求項１に記載のストレッチャー。
【請求項１８】
前記摩擦力低減部材は、前記ベッドの表面の摩擦抵抗よりも小さい摩擦抵抗を有するマット部材で構成されている、請求項１７に記載のストレッチャー。
【請求項１９】
前記張力発生部材は、前記ベッドの下方に配置された、ゴム紐またはバネで構成される弾性部材である、請求項１７に記載のストレッチャー。
【請求項２０】
前記ストレッチャーは、更に、床板部材を備え、
前記牽引力付与機構は、前記床板部材の長さ方向の一端部に、前記床板部材の幅方向に沿って取り付けられ、前記利用者が横たわった状態で該利用者の下腿部を載置するように構成された軸周りに回転自在となされローラ部材を備え、前記下腿部の自重に起因する前記ローラ部材の回転によって前記大腿部に牽引力が付与されるようになされていることを特徴とする、請求項１に記載のストレッチャー。
【請求項２１】
前記ローラ部材は、高さ位置変更自在に設定されている、請求項２０に記載のストレッチャー。
【考案の詳細な説明】
【技術分野】
【０００１】
本考案は、例えば家庭用ベッドの横に並設状態に配置し、あるいはベッド上に配置し、またはベッドに一体的に設置して、利用者の背骨、腰及び膝等の関節を含む下半身を牽引(ストレッチ)するために用いられるストレッチャーに関する。
【背景技術】
【０００２】
人類は二本足歩行を始めて以来、特に人体の背骨、腰骨および膝の関節を含む関節が自身の体重によって圧迫されることから、腰痛等の関節の問題に悩まされるようになった。人間の体は、年齢と共に、背骨や足腰の関節に長年掛けられた荷重によって、あるいはまたは無理に掛けた過重によって、腰部脊柱管狭窄症、腰椎椎間板症、腰椎椎間板ヘルニア、変形性腰椎症、前関節症、変形性股関節症、変形性膝関節症、大腿骨頸部骨折、半月板損傷等の病気が起こりやすくなる。
【０００３】
上記の病気は、カルシウム不足や糖尿病等の増加と共に、患者数も増加傾向にあり、深刻な問題となっている。一度、関節に問題が生じると、手術以外にはこれといった根本的な治療法がないと考えられている。
【０００４】
従来この種のストレッチャーとして、例えば病院において椎間板ヘルニア等の治療を行うために、患者が横たわるための牽引治療専の際に用いられるベッドと、このベッドに寝た状態で患者の腰や足首に装着するベルトと、そのベルトに一端が固定され、滑車を介して配置されたワイヤーと、そのワイヤーの他端に固定された錘とを備えたものが知られている。
【０００５】
しかし、この種の装置は、病院において腰痛症等を治療することを目的として設計された専用の牽引治療装置であって、大型かつ複雑な構造物である。この種の牽引治療装置を用いて病院において一定時間の牽引治療を行った場合、確かに一定の効果は認められるものの、毎日病院に通ってこの装置を用い牽引治療を行うことは、時間的にも経済的にも困難であった。
【０００６】
また、牽引治療を行った直後は脊椎や腰や膝の関節が引き伸ばされて例えば腰痛症は改善されるものの、暫く時間が経過するともとの状態に戻ることもあった。
【０００７】
考案者は種々研究と実験を重ねた結果、牽引治療にも拘わらず腰痛症等が再発するのは、その牽引治療後に患者が病院から自宅に戻る際に、また自宅に戻ってからも、歩行等により、せっかく牽引治療を施した関節に負荷がかかる姿勢をとることに起因すると考えて、更に研究と実験を重ねた。
【０００８】
その結果、牽引治療自体を家庭内で簡単に行うことができ、しかも治療直後も牽引された関節に圧縮方向の負荷がかからないように工夫したストレッチャーを開発するに至った。
【先行技術文献】
【特許文献】
【０００９】
【特許文献１】特開２００３−３３４２０８号公報
【特許文献２】特開平７−２５０８５６号公報
【考案の概要】
【考案が解決しようとする課題】
【００１０】
本考案は、上述した従来の問題点に鑑みてなされたものであり、牽引治療を家庭内においても簡単に行うことができ、しかも牽引治療直後も牽引された関節に圧縮方向の負荷がかからないように工夫した簡易構造のストレッチャーを提供することを目的とするものである。
【課題を解決するための手段】
【００１１】
本考案に係るストレッチャーは、ベッドの横に並接状態に配置され、または該ベッド上に配置あるいは該ベッドに設置した状態で、例えば背骨、腰及び／又は膝等の関節を含む。ベッド上に横たわった利用者の主として下半身を牽引するためのストレッチャーである。
【００１２】
前記ストレッチャーは、使用時に利用者の上半身が牽引方向に移動するのを阻止する上半身移動阻止部材と、利用者の下半身とその下半身が載置される下半身接触面との間の摩擦力を低減する摩擦力低減部材と、その摩擦力低減部材上に前記下半身の少なくとも一部が載置され、前記上半身が前記上半身移動阻止部材により保持された状態で、前記下半身に牽引力を付与する牽引力付与機構とを備えている。
【００１３】
前記牽引力付与機構は、利用者が横たわった状態においてその下半身の大腿部の仰角（θ1）を５度以上、好ましく８度乃至１５度の範囲に維持した状態で前記牽引力を下半身に付与するように構成されていることが好ましい。
【００１４】
前記牽引力付与機構は、この好ましくは、前記利用者の大腿部および下腿部を真っ直ぐに伸ばした状態において前記下半身接触面からの踵までの高さ（Ｈ１）を１０ｃｍ以上に維持した状態で下腿部に前記牽引力を付与するように構成する。
【００１５】
前記下半身接触面からの踵までの高さは、２０ないし３０ｃｍに維持することが好ましい。
【００１６】
前記牽引力付与機構は、前記利用者の足首に着脱自在に掛け止め可能なアンクルストラップと、該ストラップに一端部が固定されたワイヤーと、該ワイヤーをワイヤー挿通孔を介して案内するワイヤーガイド部と、前記ワイヤーの他端部が固定された牽引力発生部材とを備え、
前記ワイヤー挿通孔は、前記下半身接触面より２５ｃｍ以上またはそれより上方の位置に形成されているものとしても良い。
【００１７】
前記ワイヤー挿通孔は、前記ワイヤーが前記ストレッチャー使用時における前記ワイヤーの俯角(θ2)よりも小さな俯角であるときにおける前記ワイヤー挿通孔と前記ワイヤーとの摩擦力が、前記ストレッチャー使用時における該ワイヤー挿通孔とワイヤーとの摩擦力よりも大きくなるように設定されていることが好ましい。
【００１８】
前記ストレッチャーは、更に、平面視矩形状の床部材を備え、
前記摩擦力低減部材は、前記床部材の上面に該床部材の長さ方向に移動自在に配置されたスライドプレートを含み、
前記牽引力付与機構は、前記床部材の長さ方向の一端部に上下位置変更自在に取り付けられたワイヤーガイド部と、前記利用者の下腿部に着脱自在に取り付け可能な下腿部保持部材と、該下腿部保持部材に一端部が固定され、前記ワイヤーガイド部内に挿通されたワイヤーと、該ワイヤーの他端部に固定されて前記ワイヤーに牽引力を付与する牽引力発生部材とを備えているものとしても良い。
【００１９】
前記摩擦力低減部材は、平板状のプレートと、その下面に配置された複数個のローラとを含むものとしても良い。
【００２０】
前記牽引力付与機構は、ゴム紐またはバネで構成された弾性部材を含むものであってもよく、好ましくは、複数本のゴム紐またはバネで構成され、前記ゴム紐またはバネの本数を変更することにより前記牽引力を調整することができるようにする。
【００２１】
前記牽引力付与機構は、前記ワイヤーの他端部に固定された少なくとも１つのウエイトと、該ワイヤーに着脱自在に取り付けられた１または複数個のウエイトを含むものとしても良い。
【００２２】
前記ワイヤーは、前記ワイヤーガイド部の外側において固定され、該ワイヤーの前記ワイヤーガイド部内への引き込みを規制するストッパー部材が備えられていることが好ましい。
【００２３】
前記床部材は、その左右両側に長さ方向に沿ったグリップ部材が設けられているものであることが好ましい。
【００２４】
前記床板部材は、その長さ方向の中間部において折りたたみ自在となされているものとしても良い。
【００２５】
前記床部材は、前記ベットの長さとほぼ同じ長さを有するものとしても良い。
【００２６】
前記ストレッチャーは、前記ベッドに一体的に設けられ、
前記牽引力付与機構は、前記ベッドの長さ方向の一端部に高さ位置調整自在に取り付けられたワイヤーガイド部と、前記利用者の下腿部に着脱自在に取り付け可能な下腿部保持部と、該下腿部保持部に一端部が固定され、前記ワイヤーガイド部に挿通されたワイヤーと、前記ワイヤーの他端部が固定され、前記ワイヤーに張力を付与する張力発生部材とを備えているものとしても良い。
【００２７】
前記摩擦力低減部材は、前記ベッドの表面の摩擦抵抗よりも小さい摩擦抵抗を有するマット部材で構成されているものとしても良い。
【００２８】
前記張力発生部材は、前記ベッドの下方に配置された、ゴム紐またはバネで構成される弾性部材であっても良い。
【００２９】
前記ストレッチャーは、更に、床板部材を備え、
前記牽引力付与機構は、前記床板部材の長さ方向の一端部に、前記床板部材の幅方向に沿って取り付けられ、前記利用者が横たわった状態で該利用者の下腿部を載置するように構成された軸周りに回転自在となされローラ部材を備え、前記下腿部の自重に起因する前記ローラ部材の回転によって前記大腿部に牽引力が付与されるようになされているものとしても良い。
【００３０】
前記ローラ部材は、高さ位置変更自在に設定されていることが好ましい。
【考案の効果】
【００３１】
本考案の好ましい実施形態によれば、ベッドの横に並接状態に配置され、または該ベッドにおける幅方向の一側部側に配置され、あるいは  ベッドに一体的に設けられ、横たわった状態における利用者の背骨、腰及び／又は膝の関節を含む下半身を牽引するためのストレッチャーであるので、家庭内において使用することができる。しかも、牽引治療直後に、該ストレッチャーの横に配置されたベッド、または該ストレッチャーが載置されたベッド上の横のスペースに利用者が移動して横たわった状態を維持することによって、牽引治療された関節に圧縮方向の力が作用することを防ぐことができる。従って、牽引治療効果を向上させることができる。
【００３２】
また、使用時に前記利用者の上半身が牽引方向に移動するのを阻止する上半身移動阻止部材を備えているから、牽引治療時に上半身が不慮に牽引方向に移動する不都合がなく、しかも牽引治療を効果的に行うことができる。
【００３３】
しかも、前記利用者の下半身と該下半身が載置される載置面との間の摩擦力を低減する摩擦力低減部材を備えているから、牽引力付与機構の牽引力が下半身の各種関節に効果的に付与され、小さな牽引力で効果的な治療効果を達成することができる。また、このように大きな牽引力を必要としないものであるため、牽引力付与機構の小型化を図ることができ、また構造を簡単なものとすることができる。
【図面の簡単な説明】
【００３４】
【図１】図１は、この考案の第１実施形態に係るストレッチャーの概略構成を示す全体斜視図である。
【図２】図２は、図１のII−II線に沿って切断した断面図である。
【図３】図３は、第１実施形態にかかるストレッチャーにおける上半身移動阻止部材を示す斜視図である。
【図４】図４は、第１実施形態にかかるストレッチャーにおける牽引力付与機構の一部を構成するアンクルストラップを示す斜視図である。
【図５】図５は、第１実施形態にかかるストレッチャーにおける摩擦力低減部材を示す斜視図である。
【図６】図６は、この考案の第２の実施形態にかかるストレッチャーを示す全体斜視図である。
【図７】図７は、図６のVII−VII線に沿って切断した断面図である。
【図８】図８は、この考案の第３の実施形態にかかるストレッチャーを示す全体斜視図である。
【図９】図９は、図８のIX−IX線に沿って切断した断面図である。
【図１０】図１０は、この考案の第４の実施形態にかかるストレッチャーを示す全体斜視図である。
【図１１】図１１は、図１０のXI−XI線に沿って切断した断面図である。
【考案を実施するための形態】
【００３５】
以下、本考案の好ましい実施形態について、図面を参照しながら説明する。以下の説明は、例えば、家庭において下半身をストレッチしながら使用者が下半身のエクササイズを行う目的で、あるいは下半身の関節に不具合がある使用者（患者）がその下半身を牽引治療する目的で、家庭用のベッドと組み合わせることによって好適に使用することができる下半身牽引装置について主として説明する。しかし、この考案は、そのような形態に限定されるものではなく、様々な目的で人体をストレッチすることが要求される様々な用途にも適用されるものであることに留意する必要がある。
【００３６】
（第一実施形態）
以下この考案の第一実施形態について図面に基づいて説明する。図１は、この考案の第１実施形態に係るストレッチャーの概略構成を示す全体斜視図である。図２は、図１のII−II線に沿って切断した断面図である。図３は、前記ストレッチャーにおける上半身移動阻止部材を示す斜視図である。図４は、前記ストレッチャーにおける牽引力付与機構の一部を構成するアンクルストラップを示す斜視図である。図５は、前記ストレッチャーにおける摩擦力低減部材を示す斜視図である。
【００３７】
この実施例にかかるストレッチャーＳは、図１に示すように、家庭用ベッドＢの幅方向の一側部上に配置して使用されるものである。このストレッチャーＳは、床メインボックス部材１０と、その長さ方向の一端部(ヘッド側)に固定されたヘッドボード２０と、同長さ方向の他端部(フット側)に固定されたフット側ボックス３０と、上半身移動阻止部材４０と、摩擦力低減部材５０と、牽引力付与機構６０とを備えている。
【００３８】
前記床メインボックス１０は、前記ベッドＢの上面に載置することができ、利用者がその上部に横たわることができる長さおよび幅寸法を有する大きさの平面視矩形状に形成されたものであり、その内部に後述する張力発生部材６１が配置されている。
【００３９】
上記床メインボックス１０の長さ方向の一端部(ヘッド側)には、前記ヘッドボード２０が上方突出状に固定されている。該ヘッドボード２０には、上半身移動阻止部材４０としてのチンストラップの両端部を固定するための左右一対の固定部材２１が固定されている。
【００４０】
前記上半身移動阻止部材４０としてのチンストラップは、図３に示すように、例えば布で形成した幅広帯状のもので、その長さ方向の両端が前記ヘッドボード２０の固定部材２１、２１に固定されている。またその長さ方向の中間部は幅広状に形成され、使用者の顎を係止するための孔４１が形成されている。この実施形態において前記上半身移動阻止部材４０としてチンストラップを例示したが、この考案はこれに限定されるものではない。前記床メインボックス１０上に横たわった使用者の上半身が牽引方向に移動するのを阻止するものであれば、特にその構造や形状等は限定されるものではない。前記上半身移動阻止部材４０は、例えば、床メインボックス１０の上面に立設けられた左右一対のパイプからなり、使用者の脇を固定するように構成されたものであっても良い。
【００４１】
前記床メインボックス１０の上面１０ａであって、使用者が横たわった状態において使用者の下半身が載置される位置に、その長さ方向に移動自在な摩擦力低減部材５０としてのスライドプレートが配置されている。このスライドプレ−トは、図５に示すように、プレート本体５１の下面の四隅に車輪５２が固定されたものであり、この車輪５２に対応して、前記床メインボックス１０の上面１０ａに長さ方向に沿って伸びたガイド溝１１、１１が平行状に形成されている。このガイド溝１１に、対応する車輪５２がはめ込まれてた状態で前記プレート本体５１が配置されている。従って、このスライドプレート５０は、前記ガイド溝１１、１１に沿って摩擦力が低減された状態でスライド自在となされている。前記プレート本体５１の上面は、摩擦係数が高くかつクッション性のある表面材で形成されることが望ましい。もっとも、この考案にあっては、摩擦力低減部材は上記スライドプレート５０に限定されるものではない。例えば、それ自体が摩擦係数の小さいプレートであって、車輪を備えていないものであっても良い。あるいは、上記スライドプレート５０に代えて、前記床メインボックス１０の上面１０ａを、長さ方向の一側部側を相対的に摩擦係数の大きい上半身載置面とし、同他端部側を相対的に摩擦係数の小さい下半身載置面として、ストレッチ操作時に、上半身を摩擦力で移動しないようにした状態で下半身をスライド可能なものとしても良い。
【００４２】
また、前記床メインボックス１０の上面１０ａには、図１に示すように、前記ガイド溝１１、１１の外側に位置するような態様で左右一対のグリップ部材１２、１２が取り付けられている。使用者がこれを把持することにより姿勢を容易に修正することができる。
【００４３】
前記フット側ボックス３０は、前記床メインボックス１０の他端部（フット側）に上方突出状に固定されている。このフット側ボックス３０の前面壁３１の上部における幅方向の中央部には、上部ワイヤー挿通孔３１ａが形成されている(図２参照)。また該フット側ボックス３０内には、上下一対の滑車３２、３２が取り付けられている。また、前記前面壁３１の下端部にも下部ワイヤー挿通孔３１ｂが形成されている。
【００４４】
しかして、図２に示すように、前記上部ワイヤー挿通孔３１ａを介して、ワイヤーＷが挿通されると共に、該ワイヤーＷが上下一対の滑車３２、３２を介して、下部ワイヤー挿通孔３１ｂを介して、前記床メインボックス１０内に導かれている。
【００４５】
前記ワイヤーＷの一端部には、左右一対のアンクルストラップ６２、６２が固定されている。これらアンクルストラップ６２、６２は、図４に示すように、ショートバー６３の両端に取り付けられている。各アンクルストラップ６２は、図２に示すように、使用者の足首を着脱自在に掛け止めるものである。前記ワイヤーＷにおける前記ショートバー６３の近傍位置に、ストッパー６４が固定されている。このストッパー６４は、前記上部ワイヤー挿通孔３１ａの孔径よりも大きな直径を有するものであり、不使用時に前記フット側ボックス３０の前面に係止されて前記ワイヤーＷが前記フット側ボックス３０内にそれ以上引き込まれるのを阻止するように作用するものである。
【００４６】
前記床メインボックス１０内には、前記張力発生部材６１としてのゴム紐が２本配置されている。各ゴム紐６１の一端は、前記床メインボックス１０内の中間壁１２に固定されており、他端にフック部材６５が取り付けられ、前記ワイヤーＷの先端に取り付けられたリング部材６６に着脱自在に係止されている。従って、使用するゴム紐６１の本数を変更することにより、ワイヤーＷに掛かる張力を変更することができ、それによって牽引力付与機構６０の牽引力を調整することができる。なお、この考案においては、前記張力発生部材６１は上述したようなゴム紐に限定されるものではない。例えば、コイルバネであっても良いし、あるいは電動モータや油圧ピストンで前記ワイヤーＷを牽引するような装置であっても良い。而して、フットストラップ６２、ワイヤーＷ、ゴム紐６１が牽引力付与機構の主たる構成部品を構成する。
【００４７】
この実施形態に係るストレッチャーＳは、以下のようにして使用される。図１に示すように、ストレッチャーＳは、ベッドＢの左右いずれか一方の側の上部に載置する。そして、図２に示すように、床メインボックス１０上に、使用者Ａが仰向けに横たわり、顎にチンストラップ４０の孔４０を掛け止める。そして腰の下部にスライドプレート５０を配置し、足首にフットストラップ６２を掛け止める。この状態において、ワイヤーＷは、ゴム紐６１によって引っ張られ、フットストラップ６２が引っ張られる。従って、フットストラップ６２に掛けとめられた足首が斜め上方に向かって引っ張られる。このとき使用者Ａの腰は、スライドプレート５０上に載置されているので、該スライドプレート５０と共に腰がフット側ボックス３０方向に牽引される。このため使用者Ａの下半身がより一層効果的に牽引される。
【００４８】
この実施形態においては、図２に示すように、牽引力付与機構６０は、使用者の下肢部における大腿部の仰角（θ１）が約１０度の角度をなす態様で使用者の下半身に牽引力を付与するように構成されている。この仰角（θ１）を維持することにより、背骨、腰骨、膝関節を含む利用者Ａの下半身の関節を効果的にストレッチすることができる。この考案においては、前記仰角（θ１）は、５度以上、より好ましくは８度ないし１５度の範囲に設定することが好ましい。最適な角度は、約１０度である。このように仰角（θ１）を設定したのは、次の理由による。すなわち、人が歩行するとき、足が地面に着地する際に、その足（特に大腿部）が垂線（地面に対して垂直な線）に対して約１０前後の角度をなすのが普通である。従って、歩行時には、この角度で各種関節に圧縮力が付与されるため、牽引時にこの角度に相当する角度を維持して牽引することにより、各種関節の間隙を効果的に正常値に戻すことができるからである。
【００４９】
これを他の観点から見ると、床部材１０の下半身接触面に対する利用者Ａの踵までの高さＨ１を１０ｃｍ以上、好ましくは２０ないし３０ｃｍに維持することが好ましい。
【００５０】
利用者Ａの大腿部の仰角（θ１）または前述した踵までの高さ（Ｈ１）を維持するためには、この実施形態では、ワイヤー挿入孔３１ａの高さ（Ｈ２）を２５ｃｍに設定している。
【００５１】
なお、この考案では、上述した理由により、上記仰角（θ１）の値を前記範囲に維持することが望ましいが、これに限定されるものではない。例えば、上記仰角（θ１）は、ゼロ（０）に設定して牽引する、即ち、下半身を水平方向に牽引するようにしても良い。
【００５２】
この実施例では、フットストラップ６２を容易に着脱することができるようにする目的で、前記ワイヤー挿入孔３１aを、前記ワイヤーＷが前記ストレッチャー使用時における前記ワイヤーの俯角(θ２)よりも小さな俯角であるときにおける前記ワイヤー挿通孔３１ａと前記ワイヤーＷとの摩擦力が、前記ストレッチャー使用時における該ワイヤー挿通孔３１ａとワイヤーＷとの摩擦力よりも大きくなるように設定されている。従って、ストラップ６２を取り付ける際に、ワイヤーＷを引き出して下方に折り曲げるように配置することにより、ワイヤーＷとワイヤー挿通孔３１ａとの間の摩擦が増大する。従って、フットストラップ６２を、ワイヤーＷの牽引力に逆らいながら装着する必要がなく、その着脱操作を容易に行うことができる。上記の状態から、足を上方に持ち上げると、ワイヤーＷとワイヤー挿入孔３１ａとの摩擦力が次第に減少していき、遂には、上記仰角（θ２）において、張力発生装置による張力を最大限に生かした状態で牽引力を下半身に付与させることができる。
【００５３】
この実施形態にかかるストレッチャーＳは、図２に示すように、床板部材１０上に、使用者Ａが仰向けに横たわり、顎にチンストラップ４０の孔４１を掛け止める。そして腰の下部にスライドプレート５０を配置し、足首にフットストラップ６２を掛け止める。この状態において、ワイヤーＷは、ゴム紐６１によって引っ張られ、フットストラップ６２が斜め上方に引っ張られる。従って、フットストラップ６２に掛けとめられた足首が斜め上方に向かって引っ張られる。このとき使用者Ａの腰は、スライドプレート５０上に載置されているので、該スライドプレート５０と共に腰がポール部材１３０の方向に牽引される。このため使用者Ａの下半身が効果的に牽引される。
【００５４】
なお、このストレッチャーＳは、上述のように両足を同時に牽引するようにして使用される場合に限定されるものではなく、例えば右足あるいは左足のみをフットストラップ６２に掛けてその足をワイヤーＷの牽引力に抗して屈伸させるようにしてエキササイズするようにして使用してもよい。
このような使用により、足の筋肉の鍛錬のみならず、関節の牽引も同時に行うことができ、関節のトラブルを未然に防止することができる効果がある。このことは後述する第二、第三実施例においても同様である。
【００５５】
(第二実施形態)
図６および図７は、この考案の第二実施形態係るストレッチャーを示すものであり、図６はストレッチャーの全体斜視図、図７は図６のVII−VII線に沿って切断した断面図である。
【００５６】
この実施形態に係るストレッチャーSは、図６に示すように、ベッドＢの横に隣接した状態に配置した載置台Ｄ上に載置してベッドＢとほぼ同一面を構成する態様で使用されるものである。このストレッチャーSは、床板部材１１０と、その長さ方向の一端部に取り付けられた一対のフック部材１２１、１２１と、該フック材１２１に両端部が係止されたチンストラップ１４０と、前記床板部材１１０の長さ方向の他端部に取り付けられたワイヤーガイド部としてのポール部材１３０と、前記床板部材１１０上に配置されたスライド板１５０と、アンクルストラップ１６２、ワイヤーＷおよび錘１６１とを主要構成部材とする牽引力付与機構１６０とを備えている。
【００５７】
上記床板部材１１０は、その長さ方向の中間部で分離され、ヒンジ部材１１０ａで折り畳み可能に連結されている。従って、不使用時には、２つ折状態にして収納することができる。
【００５８】
前記チンストラップ１４０、スライド板１５０、アンクルストラップ１６２は、前記第一実施例と同様であるので、その説明を省略する。
【００５９】
この実施例にかかる牽引力付与機構１３０は、錘１６１の重さでワイヤーＷを介してアンクルストラップ１６２に牽引力を付与するものである。図７に示すように、このワイヤーガイド部１３０を構成するポール部材１３０はその内部に滑車１３２を備えたものである。
ポール部材１３０の上端部の前面にはワイヤー挿通孔１３１ａが形成されており、該挿通孔１３１ａにワイヤーＷが挿通されている。
【００６０】
この実施形態にかかるストレッチャーSも第一実施形態と同様に、図７に示すように、床板部材１１０上に、使用者Ａが仰向けに横たわり、顎にチンストラップ１４０の孔４０を掛け止める。そして腰の下部にスライドプレート１５０を配置し、足首にフットストラップ１６２を掛け止める。この状態において、ワイヤーＷは、錘１６１によって下方に引っ張られ、フットストラップ１６２が斜め上方に引っ張られる。従って、フットストラップ１６２に掛けとめられた足首が斜め上方に向かって引っ張られる。このとき使用者Ａの腰は、スライドプレート１５０上に載置されているので、該スライドプレート１５０と共に腰がポール部材１３０の方向に牽引される。このため使用者Ａの下半身が牽引される。
【００６１】
他の構成は、前記第一実施形態と同様であるので、対応箇所に対応符号を付してその説明を省略する。
【００６２】
(第三実施形態)
図８および図９にこの考案の第三実施形態に係るストレッチャーＳを示す。図８は、この考案の第３の実施形態にかかるストレッチャーを示す全体斜視図である。図９は、図８のIX−IX線に沿って切断した断面図である。
【００６３】
この第三実施形態に係るストレッチャーＳは、ベッドＢの幅方向の一側部側に一体的に組みつけられたものである。換言すると、通常のベッドにストレッチャー機能を付加したものである。このストレッチャーＳは、上半身移動阻止部材２４０、牽引力付与部材２３０、摩擦力低減部材２５０を備えている。
【００６４】
この実施形態に係るストレッチャーＳにおいては、ベッドＢのボトム部材Ｂ１の長さ方向の一端部（ヘッド側）の上下にアングル部材Ｂ２を固定すると共に、これらアングル部材Ｂ２に垂直ポールＢ３が固定され、かつその上端に水平ポールＢ４が固定されている。該水平ポールＢ４の両端に、係止部材２２１が固定されている。この係止部材２２１に、チンストラップ２４０の両端部が掛け止められている。チンストラップ２４０は前記第一実施例と同様であるのでその説明を省略する。
【００６５】
前記ベッドＢのボトムＢ１の長さ方向の他端部（フット側）にもその上下にアングル部材Ｂ５がとりつけられており、これらアングル部材Ｂ５に直交する態様で、ワイヤーガイド部としての各パイプ部材２３０が上方突出状に固定されている。この実施例にかかるワイヤーガイド部２３０としてのポール部材は、第二実施形態と同様に、内部にワイヤーＷが挿通されている。ワイヤーＷの一端は、アンクルストラップに連結されており、他端はベッドＢのボトムＢ１の下方に配置された張力発生部材としてのバネ２１０に連結されている。
【００６６】
この実施形態にかかるストレッチャーＳも第一実施形態と同様に、図９に示すように、ベッドＢに、使用者Ａが仰向けに横たわり、顎にチンストラップ２４０を掛け止める。そして腰の下部に摩擦力の小さい薄いマット２５０を配置し、足首にフットストラップ２６２を掛け止める。この状態において、ワイヤーＷは、バネ２１０によって引っ張られ、フットストラップ２６２が斜め上方に引っ張られる。従って、フットストラップ２６２に掛けとめられた足首が斜め上方に向かって引っ張られる。このとき使用者Ａの腰は、マット２５０上に載置されているので、該マット２５０と共に腰がポール部材２３０の方向に牽引される。このため使用者Ａの下半身が牽引される。
【００６７】
他の構成は、前記第一実施形態と同様であるので、対応箇所に対応符号を付してその説明を省略する。
【００６８】
（第四実施形態）
図１０及び図１１に、この考案の第四実施形態にかかるストレッチャーＳを示す。
図１０は、この考案の第４の実施形態にかかるストレッチャーを示す全体斜視図である。図１１は、図１０のXI−XI線に沿って切断した断面図である。
【００６９】
この第四実施形態にかかるストレッチャーＳは、床板部材３１０と、上半身移動阻止部材としての枕部材Ｐと、摩擦力低減部材としてのスライドプレート３５０と、牽引力付与機構としてのローラ部材３６０とを備えたものである。
【００７０】
この実施形態においては、上半身移動阻止部材３４０は、床板部材３１０の長さ方向の一端部に長さ方向に位置変更自在かつ移動阻止状態に載置された枕部材Ｐである。この枕部材Ｐは、図１１に示すように、断面が半円形に形成されたものであって、その下面に該枕部材の長さ方向に沿って延びた突条部Ｒを有する。前記床板部材３１０の上面における一端部側（ヘッド側）に、所定間隔毎に形成された、前記突条部Ｒに対応する溝部Ｇが形成されている。枕部材Ｐの突条部Ｒをいずれかの溝部Ｇにはめ込むことによって、枕部材Ｐのずれ動きが阻止されている。突条部Ｒと溝部Ｇとのはめ込み位置を調整することにより、使用者に合わせて頭部の位置を調整することができる。
【００７１】
スライドプレート３５０は、前記第一実施形態と同様であるのでその説明を省略する。
【００７２】
前記牽引力付与機構としてのローラ部材３６０は、中心軸を中心に回転可能となされた円筒状のローラ本体３３１と、前記床部材３１０の一端部の両端を固定された左右一対の取り付け金具３３３および３３３と、長さ方向の中心部が前記取り付け金具３３３に回動自在に取り付けられ、上端部が前記ローラ本体３３１の一端面３３１に回転自在に取付けられた長方形状のローラ支持板３３４とで構成されている。
【００７３】
各取り付け金具３３３には、前記ローラ支持板３３４の回動中心を中心とした所定半径の円弧に沿って合計３個のボルト挿通孔３３３ａが形成されている。一方、前記ローラ支持板３３４の他端部には、ボルト孔が形成されており、該ボルト孔がいずれか１の前記ボルト挿通孔３３３ａに前記取り付け金具３３３の外側から固定ボルトＬが挿通され、前記ボルト孔にねじ込まれることにより、ローラ支持板３３４の取り付け角度が固定されるようになっている。従って、この取り付け角度を変更することにより、ローラ本体３３１の高さを３段階に変更することができる。従って、このストレッチャーを利用する者の身長に応じた最も適切な高さを選択することができ、ひいては効果的なストレッチを行うことができる。なお、この実施形態では、３個のボルト挿通孔３３３ａを形成し、３段階にローラ本体３３１の高さ位置を変更するようにしたが、２段階あるいは４段階以上に変更可能としても良い。また、複数個のボルト挿通孔３３３ａに代えて、円弧状のスリットを形成し、連続的にローラ支持板３３４の角度を変更するようにしても良い。
【００７４】
前記ローラ本体３３１は、円筒状に形成されたものであり、木製のものであってもよく、また樹脂製その他の材料で形成したものであっても良い。このローラ本体３３１の外周面には、その長さ方向の両側に凹部が形成されている。この凹部は足を載せたときに、載せた足の部分が局部的に圧迫されるのを防ぐために形成されたものである。この意味からも、ローラ本体３３１の少なくとも表面部分は弾力性を有し、足を載せたときにこれに対応して変形することで、足への局部的な押圧を低減するようになされたものであることが好ましい。
【００７５】
この実施形態にかかるストレッチャーＳは、図１１に示すように、枕部材Ｐの突条部Ｒを床板部材３１０のいずれかの溝Ｇにはめ込んで枕部材Ｐを位置決めする。そして、床板部材３１０上に、使用者Ａが仰向けに横たわる。このとき、枕部材Ｐは、その突条部Ｒと溝Ｇとの作用により位置決めされているので、利用者の移動を阻止することができるのはもとより、前記突条部Ｒに係合された溝Ｇ以外の複数の溝Ｇが利用者Ａの上半身の下に位置することよりこれが摩擦力を生じ、利用者の移動阻止に貢献するものである。また、腰または臀部の下に摩擦力のスライドプレート３５０を配置し、ローラ本体３３１上に足の下腿部分を図示するような角度にして載せる。この状態において、足の下腿部分自体の重みでローラ本体３３１が回転（図面では時計回り方向に回転）し、足の大腿部を斜め上方に牽引する力が発生する。
このため使用者Ａの下半身が牽引される。
【００７６】
他の構成は、前記第一実施形態と同様であるので、対応箇所に対応符号を付してその説明を省略する。
【００７７】
考案者の研究によれば、上体を前傾させて、両手をできるだけ床に着けた時、肩甲骨から下の１８か所の椎間は、一様に開いている。この姿勢からゆっくり上体を起こしていくと、ある角度で、一番下の３か所の椎間が同時に狭くなり始め、直立時と同じ間隔になる。さらに起こしていくと、次の３か所の椎間が同時に狭くなり始め、直立時と同じ間隔になる。このように６回に分けて、３か所の椎間がセットになって上体を起こす役割を果たす。
【００７８】
腰椎椎間板症、腰椎椎間板ヘルニアは、前傾姿勢で重い物を持ち上げる時に起こる。背筋に、上体を起こそうとする強い力が働きその力は、背骨の椎間の狭い腹側の椎間に、強い圧縮力として働く。上体を曲げないで重い物を持ち上げる時は、１８か所の椎間全面積で、この圧縮力に耐えるが、上体を曲げた時は、椎間の狭い腹側の陰間（椎間全面積の半分ぐらい）で、この圧縮力に耐える。この時、椎間の椎間板髄核と陰開板線維輪は、背中側に押し出される力を受けるが、背中側の椎間は広いので、椎間内から飛び出すことはない。上体を起こす時に最初に直立時と同じ状態になる３か所の椎間は、背中側も狭くなり、椎間の椎間板髄核と椎間板線維輪が強い圧縮力に耐えられなくなった時、椎間が狭くなった状態が腰椎椎間板症、さらに、椎間から椎間板髄核と昧開板線維輪が飛び出した状態が腰椎椎間板ヘルニアである。
【００７９】
これらの症状は、下から３つめまでの椎間で起こる。これらの状態から、椎間板髄核と椎間板線維輪が自然治癒するためには、狭くなった椎間をストレッチして広げてあげ、椎間板髄核と椎間板線維輪が治癒できる空間を作る必要がある。背骨をストレッチするためには、腰にベルトを装着して水平に引っ張った方が効果的であるが、股関節を約１０°の角度で引っ張ることができない。本考案にかかるストレッチャーは、背骨、股関節、膝関節を、一台の器具でストレッチできるように設計されている。
【００８０】
関節や背骨は、圧縮力には強いが、引っ張り力には弱い。引っ張り過ぎると関県の靭帯や椎間板髄核と椎間板線維輪を痛めます。年齢と共に、圧縮力、引っ張り力に対して、さらに弱くなる。股関節が腰骨と大腿骨を繋いでいるのは靭帯のみである。膝関節が大腿骨と脛骨を繋いでいるのは靭帯のみである。脊椎同士を繋いでいるのは椎間板髄核と椎間板線維輸のみである。靭帯と推間板髄核と椎間板線維輪が、引っ張り力に弱い。
【００８１】
実際に体を支えている脊椎は２４個であるため、脊椎は２３個の椎間板髄核と椎間板線維輸で引っ張り力に耐えるので、股関節や膝関節よりも、強い引っ張り力に耐える。
【００８２】
既存の背骨、股関節、膝関節伸張器具の大半は、自重によって引っ張るため、膝、股関節、腰、背中、首の順番で引っ張る力が弱くなり、一般的に、膝や股関節は、引っ張り過ぎる。体重の重い人は、引っ張る力が強過ぎて使用できない。スポーツ選手が、競技中に靭帯を痛めるのは、大半が、強い引っ張り力が関節に働くからである。私の経験であるが、３９歳の時、腹筋台を約４０°の角度にして、上体を足の方に起こす腹筋運動を、かなり勢いよく行っていた。約１０分続けた時に、突然右膝に、異変を感じ中止したが、右膝が痛くて歩けなくなった。病院で診察を受けたところ、右膝靭帯を痛めたことが原因であった。この時の私の体重は、５５ｋｇであった。４０°の角度と、腹筋台の摩際係数から概算すると、片足に１７ｋｇの張力が掛かっていた。その後しばらく松葉杖の生活をして治った。４２歳の時、仕事中、重い物を持ち上げた時に、腰に激痛が走った。病院の診察では、腰椎椎間板ヘルニアと診断され、手術しか治療の方法はないとのことであった。私は、何とか手術をしないで治す方法はないかと、必死で捜した。
【００８３】
結局、個人では入手できない病院の背骨をストレッチする治療器具を参考にして、自分で、腰ベルトと錘でストレッチする器具を製作した。錘の重さを、８ｋｇから始めて、１３ｋｇまで試した結果、１０ｋｇから１３ｋｇまでが最適という結論に至った。そして、毎日背骨をストレッチした結果、約３か月で完治した。
【００８４】
本件考案にかかるストレッチャーを制作する時、足の張力に関しても、実験を行った。片足８ｋｇの張力から始めて、少しずつ減らしながら、片足３ｋｇまでストレッチの実験をした。その結果、片足５ｋｇの張力で１時間、片足７ｋｇの張力で４０分弱のストレッチが、最も理想的だという結論に至った。それらの張力のデータを踏まえ、その後、何度か改良を加えたのが、本件考案にかかるストレッチャーである。
【００８５】
本件考案にかかるストレッチャーは、ゴム等の力で引っ張るため、どこにも力がおおよそ均等にかかる。従って、体格に関係なく使用することができる。約１時間かけて、ゆっくりと引っ張ることで、背骨、股関節、膝関節に負担が少なく、快適こストレッチができる。
【００８６】
最も効果的なやり方は、寝る前にベッドの上又は布団の横で本件ストレッチャーを使い、終わった後は、そのままベッド又は布団で寝る。ストレッチの後、立ってしまうと、せっかく開いた靭帯、椎間板髄核と椎間板線維輪のためのスペースが元に戻ってしまう。
【００８７】
従って、本件ストレッチャーによれば、腰部脊柱管狭窄症、腰椎椎間板ヘルニア、腰椎椎間板症、前関節症、変形性股関節症、変形性膝関節症、大腿骨頭部骨折、半月板損傷、Ｏ脚等の予防と症状改善に、効果がある。
【００８８】
（設計の詳細）
ゴムの張力：  
身長によって、フット側のワイヤー挿通部から出るワイヤーWの高さ、ゴム紐の張力を最適にするために、第１実施形態にかかる３種類のストレッチャーを設計した。ストレッチしている時の、ゴム紐６１による体に掛かる張力は、身長が高い人は１０ｋｇ、身長の低い人は１３ｋｇに設定した。ゴム紐６１による体に掛かる張力を１０ｋｇに設定すると、片足に５ｋｇの張力が掛かる。床メインボックス１０の上面１０ａとの摩擦力によって、背骨に掛かる張力は、５ｋｇ以下になる。スライドプレート３０を敷いた場合は、背骨に掛かる張力は、両足に掛かる張力とほぼ同じになる。実際のゴム紐６１自体の張力は、滑車３２の摩擦による損失があるため、約１４ｋｇになった。スポーツ等で筋肉を鍛えた人は、１３ｋｇ以上の張力に耐えることができる。
【００８９】
（使い勝手をよくする滑車システム）
アンクルストラップ６２と２本のゴム紐６１は、２つの滑車３２と、滑車ガイド３３を通して、ワイヤーＷで繋がっている。それぞれの滑車３２の軸に掛かる負荷を減らすために、２つの滑車を使った。ガレージオープナーに使用される滑車等、丈夫な滑車を使用すれば、上下２つの滑車でも耐えられる。滑車ガイド３３とフット側ボックス３０のワイヤー挿通孔３１ａには、摩擦が掛かるようにした。滑車システムの摩擦係数は約０．４とした。フット側ボックス３０の下部ワイヤー挿通孔３１ｂは、厚さ１３ｍｍの板との摩擦で、摩擦係数は０．６以上である。アンクルストラップ６２を装着した後、チンストラップ４０を装着するために、グリップ部材１２を握って、体を上方に移動する必要があるが、これらの摩擦故にゴム紐６１の張力を受けないで移動することができます。チンストラップ４０を装着した後、足を上に上げて、フット側ボックス６０の上部ワイヤー挿通孔３１ａに掛かる摩擦をなくすと、ゴム紐６１の張力が働き、ストレッチが始まる。ストレッチを終わる時は、足を下に下げると、フット側ボックス３０の上部ワイヤー挿通孔３１ａに掛かる摩擦故に、ゴム紐６１の張力が止まる。
【００９０】
この滑車システムの一番下の滑車３２の直下に、ゴムの代わりに錘を吊すことも可能です。この場合、７ｋｇの錘を２個使う。ゴム紐６１を使う場合に比べての利点は、張力が常に一定であるため、下記のように身長によって３種類のストレッチャーを制作する必要がなく、1つですべての身長をカバーできる。欠点は、錘が移動するための高さが必要であるため、ベッドの上での使用に限定される。
【００９１】
ある程度コストを下げるために、この実施例では滑車システムを採用した。コストは上がるが、電動モーターで張力を調整できるシステムを使うことも可能である。この場合、ＯＮ-ＯＦＦスイッチと、１０ｋｇと５ｋｇとに切り替えるスイッチ、そしてタイマーも付ければ、とても便利である。この場合も、身長によって３種類のストレッチャーを制作する必要がなく、１つですべての身長をカバーできる。
【００９２】
（足を引っ張る１０°の仰角）
変形性股関節症の治療のために、股関節からフット側ボックス３０のワイヤーＷまでの直線の仰角を約１０°に設計した（同じ身長でも足の長い人と、短い人で差があります）。実際に股関節の仰角を１０°に保つためには、足の下にクッション等でサポートをすればよい。
【００９３】
（ストレッチしたい関節ごとの使い方）
頭からお尻にかけて、カーペットを敷く。股関節、膝関節のストレッチを、重点的にやるときは、カーペットを敷いたまま使う。カーペットと上半身の摩擦で、背骨には、張力があまり掛からない。片足のみストレッチする場合は、ゴムを２つから１つに減らして行う。背骨のストレッチをしたい場合は、カーペットを外し、タイヤの付いたスライドプレート３０を背骨が当たらないようにできるだけ下げてお尻に敷き、ストレッチする。この場合、背骨に、股関節、膝関節と同じぐらいの張力が掛かり、少し腰を浮かせることで、ストレッチした時に、背骨の下部の椎間が広がりやすくなる。
【００９４】
（グリップ部材）
グリップ部材１２を握って、足を上下することにより、張力を足に掛けたり、止めたりすることが容易にできる。また、チンストラップ４０とアンクルストラップ６２の着脱のために、体を上下に移動すること、上体を起こすことも容易にできる。巣ライトプレート３０を使用する時、床面から外に出ないように、ガイドになる。ストレッチャーの持ち運びも、ハンドルレールを使うと便利である。
【００９５】
（スライドプレート）
実際には、摩擦をできるだけ少なくするために、ベアリング４個をタイヤとして使っている。カーペットを外すと、メタルの板が張ってあり、その上をスライドプレート３０が動く。スライドプレート３０の高さは、下記にある最適な高さにするために、敷物などを使い調整する。ストレッチする時に、腰椎椎間板症、腰椎椎間板ヘルニアで損傷を受けた椎間を、より開きやすくするためである。
【００９６】
３種類のストレッチャー
A: １５５ｃｍ〜１７５ｃｍ用ストレッチャー
床メインボックスの長さ：１９０ｃｍ、
ワイヤーの高さ：２５ｃｍ
B : １７５ｃｍ〜１９５ｃｍ用ストレッチャー
床板の長さ：２１０ｃｍ
ワイヤーの高さ：２７ｃｍ
C １９５ｃｍ〜２１５ｃｍ用ストレッチャー
床板の長さ：２３０ｃｍ、
ワイヤーの高さ：２９ｃｍ
【００９７】
身長によって、ゴム紐６１の張力が違うため、最適なストレッチ時間が異なる。以下が、最適なストレッチ時間である。
身長１５５ｃｍの人がストレッチャーＡを使用する場合：４０分
身長１６５ｃｍの人がストレッチャーＡを使用する場合：５０分
身長１７５ｃｍの人がストレッチャーＡを使用する場合：６０分
身長１７５ｃｍの人がストレッチャーＢを使用する場合：４０分
身長１８５ｃｍの人がストレッチャーＢを使用する場合：５０分
身長１９５ｃｍの人がストレッチャーＢを使用する場合：６０分
身長１９５ｃｍの人がストレッチャーＣを使用する場合：４０分
身長２０５ｃｍの人がストレッチャーＣを使用する場合：５０分
身長２１５ｃｍの人がストレッチャーＣを使用する場合：６０分
なお、チンストラップ４０の取り付け高さは、Ａ、Ｂ、Ｃ共に、２０ｃｍである。チンストラップ４０をヘッドボード２０に取り付けるベルトの長さは、Ａ、Ｂ、Ｃ共に、５ｃｍである。
【００９８】
グリップ部材１２の長さは、６０ｃｍである。取り付ける位置は、以下のようになります。
Ａ :フット側ボックス３０から６０ｃｍの位置
Ｂ :フット側ボックス３０から７０ｃｍの位置
Ｃ :フット側ボックス３０から８０ｃｍの位置
スライドプレート３０の高さは、身長による椎間の長さによって以下のようになる。
Ａ：５ｃｍ
Ｂ：６ｃｍ
Ｃ：７ｃｍ
【００９９】
以前、整体師になるための研修会に参加したことがある。その時に解ったことであるが、私を含めてほとんどの参加者は、左右の足の長さが違っていた。これは、姿勢の悪さにより骨盤が傾いている場合、変形性股関節症、変形性膝関節症の場合、Ｏ脚の場合等である。大半は、姿勢の悪さによって骨盤が傾いている。その時は整体師の矯正によって、すぐに治った。大半の人は、左右の足の長さが違うとのことであった。本件考案のストレッチャーでストレッチする前に、足の長さの差をチェックする必要がある。チェックするには、うつ伏せに寝て、誰かに両足首を引っ張ってもらう。その時、両足の腫に差があれば、左右の足の長さが違う。この差が１ｃｍ以上ある場合は、まず、両足の長さの差を１ｃｍ以内にする必要があある。整体の先生から聞いたことであるが、両足の差が１ｃｍ以上ある場合は、短い方の足に多くの荷重が掛かり、短期間で変形性股関節症、変形性膝関節症になる。そのまま両足をストレッチすると、短い方の足に強い張力が掛かる。両足の長さの差を１ｃｍ以内にするためには、ゴム紐６１を１本にし、張力を半分にして、短い足だけしぱらくの期間、ストレッチする。そのことによって骨盤の傾きが矯正される。また、変形性股関節症、変形性膝関節症の足の症状が改善される。また、Ｏ脚を矯正する準備ができる。１ｃｍ以内でも、両足に差があれば、ストレッチした時に、両足の張力に差があるが、ストレッチは可能である。両足の張力に差がある状態で椅子を使ってストレッチをすると、椅子は張力が強い足と反対の方に曲がる。そのことによって両足の張力は、ほぼ同じになる。
【０１００】
ここに用いられた用語及び表現は、説明のために用いられたものであって限定的に解釈するために用いられたものではなく、ここに示され且つ述べられた特徴事項の如何なる均等物をも排除するものではなく、この考案のクレームされた範囲内における各種変形をも許容するものであると認識されなければならない。
【０１０１】
本考案は、多くの異なった形態で具現化され得るものであるが、この開示は本考案の原理の実施例を提供するものと見なされるべきであって、それら実施例は、本考案をここに記載しかつ／または図示した好ましい実施形態に限定することを意図するものではないという了解のもとで、多くの図示実施形態がここに記載されている。
【０１０２】
本考案の図示実施形態を幾つかここに記載したが、本考案は、ここに記載した各種の好ましい実施形態に限定されるものではなく、この開示に基づいていわゆる当業者によって認識され得る、均等な要素、修正、削除、組み合わせ（例えば、各種実施形態に跨る特徴の組み合わせ）、改良及び／又は変更を有するありとあらゆる実施形態をも包含するものである。クレームの限定事項はそのクレームで用いられた用語に基づいて広く解釈されるべきであり、本明細書あるいは本願のプロセキューション中に記載された実施例に限定されるべきではなく、そのような実施例は非排他的であると解釈されるべきである。例えば、この開示において、「好ましくは」という用語は非排他的なものであって、「好ましいがこれに限定されるものではない」ということを意味するものである。
【産業上の利用可能性】
【０１０３】
この考案にかかるストレッチャーは、家庭で簡単に背骨、腰および膝の関節を含む下半身を牽引するストレッチャーとして好適に用いられる。
【符号の説明】
【０１０４】
１０  床メインボックス部材
４０  チンストラップ（上半身移動阻止部材）
５０  スライドプレート（摩擦力低減部材）
６０  牽引力付与機構
１１０  床メインボックス部材
１４０  チンストラップ（上半身移動阻止部材）
１５０  スライドプレート（摩擦力低減部材）
１６０  牽引力付与機構
２１０  床メインボックス部材
２４０  チンストラップ（上半身移動阻止部材）
２５０  スライドプレート（摩擦力低減部材）
２６０  牽引力付与機構
３１０  床メインボックス部材
３５０  スライドプレート（摩擦力低減部材）
３３０  牽引力付与機構
Ｓ      ストレッチャー
Ｐ      枕部材（上半身移動阻止部材）
【図１】
0003180637.tif 000003
【図２】
0003180637.tif 000004
【図４】
0003180637.tif 000005
【図５】
0003180637.tif 000006
【図６】
0003180637.tif 000007
【図７】
0003180637.tif 000008
【図８】
0003180637.tif 000009
【図９】
0003180637.tif 000010
【図１０】
0003180637.tif 000011
【図１１】
0003180637.tif 000012
【図３】
0003180637.tif 000013